(57)【要約】【課題】簡単な構成で電力分配比とインピーダンスの両方を制御可能とする。【解決手段】給電パターン２および帯状導体パターン４ａ〜４ｃが形成された誘電体基板８の表面に回動可能にタップ部材３を配置し、このタップ部材３を所定幅のスリットを隔てて配置される２本の線状導電パターン３ａ，３ｂと、これらの線状導電パターン３ａ，３ｂの基端部を給電パターンの先端部に接続するリング状パターン３ｃとから構成する。そして、線状導電パターン３ａ，３ｂの線幅とスリットの間隔を適宜調整することで、各出力ポート６ａ〜６ｆへの電力分配比を設定する。【選択図】図１
2017224931.tif 000002
【特許請求の範囲】
【請求項１】
互いに平行に配置された円弧状をなす複数の帯状導体部と、
前記複数の帯状導体部を横断しかつ当該帯状導体部に対し容量性結合する状態で配置され、前記複数の帯状導体部の円弧状同心部を旋回軸として旋回可能に構成されたタップ部材と、
前記タップ部材を旋回駆動する駆動系と
を具備し、
前記タップ部材は、
前記旋回軸に設けられた給電部と、
前記給電部を基端として前記複数の帯状導体部を横断する方向に延伸形成された第１および第２の線状導体部と、
前記第１の線状導体部と前記第２の線状導体部との間に形成されるスリット部と
を備えることを特徴とする移相器。
【請求項２】
前記タップ部材は、前記複数の帯状導体部間ごとに、前記第１および第２の線状導体部の幅および前記スリット部の幅が可変設定されてなることを特徴とする請求項１記載の移相器。
【請求項３】
前記請求項１又は２記載の移相器と、
前記移相器が備える複数の帯状導体部の各々に接続される複数の放射器と
を具備することを特徴とするアンテナ装置。
【発明の詳細な説明】
【技術分野】
【０００１】
この発明は、例えば携帯電話基地局用アンテナで使用される移相器と、この移相器を備えたアンテナ装置に関する。
【背景技術】
【０００２】
例えば携帯電話基地局用アンテナのように、電気的に調整可能な傾斜を有するアンテナに放射グラフを使用するためには、個々の放射器に対し供給する無線信号に異なる位相差を付与する必要があり、その手段として移相器が設けられている。移相器は、例えば誘電体基板上に曲率の異なる円弧状をなす複数の帯状導体部を同心円状に配置すると共に、これらの帯状導体部上に重ねてタップ部材を配置している。そして、タップ部材を上記同心円の中心を軸として旋回させることにより、上記タップ部材から上記複数の帯状導体部に対する無線信号の電力分配比を制御するように構成される（例えば特許文献１を参照）。
【先行技術文献】
【特許文献】
【０００３】
【特許文献１】特許第４１９８３５５号公報
【発明の概要】
【発明が解決しようとする課題】
【０００４】
ところが、特許文献１に記載された移相器は、タップ部材が旋回軸の中心から径方向に直線状に延在された１本の導体部により構成されているため、タップ部材は複数の帯状導体部間を最短距離で横断することになる。このため、各帯状導体部に対する電力分配比を制御するにはタップ部材の線路幅を調整してインピーダンスを制御する必要があり、設定しようとする電力分配比の値によってはタップ部材の線路幅を極端に大きくしなければならなくなる。この場合、タップ部材の線路部のインピーダンスが想定値からずれ、所望の電力分配比が得られなくなる。
【０００５】
この発明は上記事情に着目してなされたもので、その目的とするところは、簡単な構成でありながら電力分配比およびインピーダンスの両方を制御可能にした移相器を提供することにある。  
またこの発明は、少ないスペースに移相器を効果的に配置できるようにしたアンテナ装置を提供することにある。
【課題を解決するための手段】
【０００６】
上記目的を達成するためにこの発明に係る移相器の第１の態様は、互いに平行に配置された円弧状をなす複数の帯状導体部と、前記複数の帯状導体部を横断しかつ当該帯状導体部に対し容量性結合する状態で配置され、前記複数の帯状導体部の円弧状同心部を旋回軸として旋回可能に構成されたタップ部材と、前記タップ部材を旋回駆動する駆動系とを具備する移相器であって、前記タップ部材を、前記旋回軸に設けられた給電部と、前記給電部を基端として前記複数の帯状導体部を横断する方向に延伸形成された第１および第２の線状導体部と、前記第１の線状導体部と第２の線状導体部との間に形成されるスリット部とを備えるように構成したものである。
【０００７】
この発明に係る移相器の第２の態様は、前記タップ部材を、前記複数の帯状導体部間ごとに、前記第１および第２の線状導体部の幅および前記スリットの幅が可変設定されるように構成したものである。
【０００８】
この発明に係るアンテナ装置の第１の態様は、複数の放射器に加えて、前記第１または第２の態様で述べた移相器を備え、この移相器が備える複数の帯状導体部の各々に上記複数の放射器を接続するようにしたものである。
【発明の効果】
【０００９】
この発明に係る移相器の第１の態様によれば、タップ部材が、給電部から各帯状導体部を横断する方向に延伸形成された第１および第２の線状導体部と、これらの線状導体部間に設けられるスリット部とにより構成される。そして、上記各線状導体部の幅とスリットの幅が適切な寸法に設定されている。従って、タップ部材のインピーダンス整合を取ることが可能となり、これにより各帯状導体部の出力端子から出力される電力分配比を容易に所望の値に設定することが可能となる。
【００１０】
この発明に係る移相器の第２の態様によれば、帯状導体部ごとにそれぞれ最適なインピーダンス値を設定することが可能となり、これにより帯状導体部ごとに所望の電力分配比を得ることが可能となる。
【００１１】
この発明に係るアンテナ装置の第１の態様によれば、電力分配比を柔軟に設定することが可能となり、これにより個々の放射器に対し適切な位相差を与えて、所望の放射特性を設定することができる。
【００１２】
すなわちこの発明によれば、簡単な構成で電力分配比とインピーダンスの両方を制御可能とした移相器を提供することができる。  
またこの発明によれば、少ないスペースに移相器を効果的に配置することが可能なアンテナ装置を提供することにある。
【図面の簡単な説明】
【００１３】
【図１】この発明の第１の実施形態に係る移相器の構成を示す斜視図。
【図２】図１に示した移相器の側断面図。
【図３】図１に示した移相器による出力電力比の周波数特性を示す図。
【図４】図１に示した移相器において、回動角が０°の状態と３０°の状態を示す図。
【図５】この発明の第２の実施形態に係る移相器の構成を示す斜視図。
【図６】図５に示した移相器による出力電力比の周波数特性を示す図。
【図７】この発明の第３の実施形態に係る移相器の構成を示す斜視図。
【図８】図７に示した移相器による出力電力比の周波数特性を示す図。
【図９】移相器の従来例を示す図。
【図１０】図９に示した移相器の出力電力比の周波数特性を示す図。
【図１１】この発明の第４の実施形態に係る移相器の構成を示す図。
【図１２】この発明の第５の実施形態に係るアンテナ装置の構成を示す図。
【図１３】図１２に示したアンテナ装置の側断面図。
【図１４】図１２に示したアンテナ装置で使用されるアンテナを拡大して示す斜視図。
【図１５】図１２に示したアンテナ装置で使用されるアンテナの側面図。
【発明を実施するための形態】
【００１４】
以下、図面を参照してこの発明に係わる実施形態を説明する。  
［第１の実施形態］
図１はこの発明の第１の実施形態に係る移相器の構成を示す斜視図、図２は図１に示した移相器の中央部分における側断面図であり、図中８は誘電体基板を示している。
【００１５】
誘電体基板８の第１の面（図中表面）には、給電パターン２と、３本の帯状導体パターン４ａ，４ｂ，４ｃが互いに平行に形成され、第２の面（図中裏面）には接地パターン１０が形成されている。給電パターン２はＬ型をなし、先端部が上記誘電体基板８の中心部に位置するように配置され、基端部が給電ポート５に接続されている。帯状導体パターン４ａ，４ｂ，４ｃは、何れも半円状をなす線状導電パターンからなり、両端が出力ポート６ａ〜６ｆに接続される。
【００１６】
さらに、上記給電パターン２および帯状導体パターン４ａ，４ｂ，４ｃが形成された誘電体基板８の表面には、絶縁シート９を介在した状態でタップ部材３が重ねて配置される。タップ部材３は、所定幅のスリットを隔てて対向配置される２本の線状導電パターン３ａ，３ｂと、これらの線状導電パターン３ａ，３ｂの基端部を上記給電パターンの先端部に接続するリング状パターン３ｃとを備えている。
【００１７】
上記線状導電パターン３ａ，３ｂは、上記帯状導体パターン４ａ，４ｂ，４ｃを横断する方向に配置され、上記帯状導体パターン４ａ，４ｂ，４ｃと重なる部位には当該帯状導体パターン４ａ，４ｂ，４ｃとの結合を高めるための枝部３ｄ，３ｅ，３ｆが形成されている。上記線状導電パターン３ａ，３ｂの各線幅および当該線状導電パターン３ａ，３ｂ間に形成されたスリットの幅は、出力ポート６ａ〜６ｆから出力しようとする電力分配比に応じて設定される。タップ部材３は、絶縁シート９と一体化された状態で、リング状パターン３ｃの回動（旋回）軸７を中心に約±９０°の範囲で回動可能となっており、この回動（旋回）角を設定することで所望の移相量を得るように構成される。
【００１８】
次に、以上のように構成された移相器の製作方法と動作を説明する。  
先ず給電パターン２および帯状導体パターン４ａ，４ｂ，４ｃが形成された誘電体基板８の表面に、加工前のタップ部材３を絶縁シート９を介して配置する。この状態で、電気特性を確認しながら各パラメータを調整して満足する特性になったところで、タップ部材３を加工してスリットを形成し、これにより二股状の線状導電パターン３ａ，３ｂを製作する。
【００１９】
次に、線状導電パターン３ａ，３ｂの線幅とスリットの間隔をさらに調整し、帯状導体パターン４ａ，４ｂ，４ｃの出力ポート６ａ〜６ｆからそれぞれ所望の電力が出力されるようにする。すなわち、線状導電パターン３ａ，３ｂの線幅とスリットの幅をそれぞれ調整することにより、給電ポート５から見たインピーダンスを考慮した上で、各出力ポート６ａ〜６ｆへの電力分配比を設定する。例えば、図１では線状導電パターン３ａ，３ｂの、帯状導体パターン４ａと４ｂとの間の線幅より、帯状導体パターン４ｂと４ｃとの間の線幅が細くなるように設定している。
【００２０】
この状態で、図示しない無線回路から給電ポート５に高周波信号を印加すると、この高周波信号は給電パターン２の先端部から絶縁シート９を介して容量性結合によりタップ部材３のリング状パターン３ｃに印加され、当該リング状パターン３ｃから線状導電パターン３ａ，３ｂに伝達される。そして、この線状導電パターン３ａ，３ｂから、絶縁シート９を介して容量性結合により帯状導体パターン４ａ，４ｂ，４ｃにそれぞれ印加され、出力ポート６ａ〜６ｆから出力される。
【００２１】
図３は、２．６GHz帯に適合させ、タップ部材３を例えば図４（ａ）に示すように出力ポート６ａ〜６ｆに対し対称となる位置（回動角０°）に設定したときに、出力ポート６ａ，６ｂ，６ｃから出力される電力分配比の周波数特性を示すものである。回動角０°の場合、平衡２線には同位相および同振幅の電流が印加される。
【００２２】
一方、タップ部材３を回動させ、例えば図４（ｂ）に示すように回動角３０°に設定したとする。この場合、タップ部材３の２本の線状導電パターン３ａ，３ｂ上の電流の位相ずれが大きくなり、奇モード化が進行して偶モードと奇モードが混在した状態となるため、タップ部材３のインピーダンスが変化して電圧定在波比（Voltage Standing Wave Ratio：ＶＳＷＲ）特性が悪化する。これは、方結化して等分配が崩れつつ、アイソレーションが悪化するためと推測される。周波数が高くなるほど同じ回動角でも波長的に位相のずれが大きくなるため、奇モード化が早く進行し、ＶＳＷＲ特性の劣化も早く進行する。このため、上記タップ部材３の回動角度を可変して移相量を設定する際には、上記ＶＳＷＲ特性の劣化が許容される範囲で行う。
【００２３】
以上詳述したように第１の実施形態では、給電パターン２および帯状導体パターン４ａ〜４ｃが形成された誘電体基板８の表面に回動可能にタップ部材３を配置し、このタップ部材３を所定幅のスリットを隔てて配置される２本の線状導電パターン３ａ，３ｂと、これらの線状導電パターン３ａ，３ｂの基端部を給電パターンの先端部に接続するリング状パターン３ｃとから構成している。そして、線状導電パターン３ａ，３ｂの線幅とスリットの間隔を適宜調整することで、各出力ポート６ａ〜６ｆへの電力分配比を設定するようにしている。
【００２４】
従って、給電ポート５から見たインピーダンスを考慮した上で各出力ポート６ａ〜６ｆへの電力分配比を設定することができる。すなわち、タップ部材３のインピーダンス整合を取った上で、各帯状導体パターン４ａ〜４ｃの出力ポート６ａ〜６ｆから出力される電力分配比を容易に所望の値に設定することが可能となる。
【００２５】
［第２の実施形態］
図５は、この発明の第２の実施形態に係る移相器の構成を示す斜視図である。なお、同図において図１と同一部分には同一符号を付して詳しい説明は省略する。  
第２の実施形態に係る移相器では、タップ部材１１の線状導電パターン１１ａ，１１ｂの線幅とスリットの幅が、給電パターン２と帯状導体パターン４ａとの間の範囲と、帯状導体パターン４ａ，４ｂ間の範囲と、帯状導体パターン４ｂ，４ｃ間の範囲で、順次大きくなるように設定している。
【００２６】
以上のように設定することで、例えば図６の出力電力比の周波数特性に示すように、使用対象の周波数帯である２．６GHz帯において、出力ポート６ａから出力される電力値を最も大きくし、出力ポート６ｂ，６ｃから出力される電力値をそれより小さい任意の値でほぼ同一にすることができる。
【００２７】
［第３の実施形態］
図７は、この発明の第３の実施形態に係る移相器の構成を示す斜視図である。なお、同図においても図１と同一部分には同一符号を付して詳しい説明は省略する。  
第３の実施形態に係る移相器では、タップ部材１３の線状導電パターン１３ａ，１３ｂの線幅が、給電パターン２と帯状導体パターン４ａとの間の範囲と、帯状導体パターン４ａ，４ｂ間の範囲と、帯状導体パターン４ｂ，４ｃ間の範囲で順に小さくなるように設定し、かつスリットの幅が給電パターン２と帯状導体パターン４ａとの間の範囲と、帯状導体パターン４ａ，４ｂ間の範囲と、帯状導体パターン４ｂ，４ｃ間の範囲で順に大きくなるように設定している。例えば、線状導電パターン１３ａ，１３ｂの最も幅の広い部位の幅長をそれぞれ４mmに設定している。
【００２８】
図８は、この第３の実施形態に係る移相器による出力電力比の周波数特性を示すものである。同図に示すように、使用対象の周波数帯である２．６GHz帯において、出力ポート６ａ，６ｂ，６ｃから出力される電力比を全てほぼ同一に設定することができる。また、タップ部材１３の線状導電パターン１３ａ，１３ｂの線路幅をそれぞれ４mmと細く設定することができるので、製作時とシミュレーション時との間でインピーダンスの誤差を小さくすることができ、さらにタップ部材１３を絶縁シート９に対し均等に密着させることが可能となる。
【００２９】
ちなみに、スリットを有しない従来のタップ部材を用いて、出力ポート６ａ，６ｂ，６ｃから出力される電力比を図１０に示すようにほぼ同一に設定しようとすると、図９に示すようにタップ部材１２の線路幅を、ａ部位で１２mm、ｂ部位で７．５mmに設定する必要があり、線路幅が非常に大きくなる。このようにすると、製作時のインピーダンスがシミュレーション時のものを再現し難くなり、またタップ部材１２の全体を絶縁シートに密着させることが困難となる。
【００３０】
［第４の実施形態］
図１１は、この発明の第４の実施形態に係る移相器の構成を示す斜視図である。なお、同図においても図１と同一部分には同一符号を付して詳しい説明は省略する。  
第４の実施形態に係る移相器は、移相器２０ａ，２０ｂをスペーサ２１を介して二段重ねに配置したものである。個々の移相器２０ａ，２０ｂは、第１の実施形態（図１）に示した移相器１と同一構成を有する。  
以上のように構成すると、移相器２０ａ，２０ｂを複数個設置する必要がある場合に、面方向の設置スペースを縮小することが可能となる。
【００３１】
［第５の実施形態］
図１２はこの発明の第５の実施形態に係るアンテナ装置の構成を示す斜視図、図１３は図１２に示したアンテナ装置の短辺側の側面図である。  
第５の実施形態に係るアンテナ装置は、放射方向が２方向、２偏波、２つの周波数帯をカバーするセクタアンテナであり、図１３に示すように金属板からなる第１、第２および第３の筐体を三角柱を構成するように対向配置し、このうち第１および第２の筐体にはそれぞれ１２台のセクタアンテナ４０ａ，４０ｂ，…を直線状に配設し、第３の筐体には移相器２０ａ，２０ｂとその駆動機構を配設している。すなわち、本実施形態のアンテナ装置は、放射方向２×偏波２×周波数帯２の合計８台の移相器を搭載している。
【００３２】
先ずセクタアンテナ４０ａ，４０ｂは以下のように構成される。図１４は個々のセクタアンテナ４０ａ，４０ｂの構成を示す斜視図、図１５はその側面図である。  
すなわち、反射板４１は例えばアルミニウム板の表面にクロムメッキを施したものからなり、当該反射板４１の裏面側には、支持部材４７を介して、分配および整合回路を備える回路基板４２が固定される。
【００３３】
一方、上記反射板４１の表面側には、当該反射板４１に対し所定の間隔を隔てた状態で、絶縁性支持部材４８，４８を介してパッチアンテナ４３のアンテナ素子が設置される。パッチアンテナ４３は、直交する２偏波に対応するもので、正方形をなす導電性金属板６１の中央部位に正方形の孔部６２を形成したリング状のアンテナ素子を有する。また、上記導電性金属板６１の対角線上には、給電部６３，６３が設けられる。給電部６３，６３は、第１の給電ケーブル４４を介して上記回路基板４２の分配および整合回路に接続される。
【００３４】
なお、パッチアンテナ４３の反射板４１との間隔は、送受信対象となる第１の周波数ｆ1に応じて設定される。例えば、第１の周波数ｆ1の波長をλ1とすると、０．０５λ1に設定される。また、給電部６３，６３のアンテナ中心からの距離は、アンテナインピーダンスが５０Ωになるように設定される。例えば第１の周波数ｆ1を２．６GHzとした場合には１８〜２０mmに設定される。
【００３５】
また、反射板４１の表面上には、上記パッチアンテナ４３の孔部（リング内部）６２を通してダイポールアンテナ４５が立設される。ダイポールアンテナ４５は、直交する２偏波を送受信するために、互いに直交する方向を向く２対のダイポールアンテナ素子を備える。ダイポールアンテナ素子の各対は、柱状部５１ａ，５１ｂおよびその先端から上記反射板４１に対し平行しかつ互いに反対方向に折曲形成された素子部５３ａ，５３ｂと、柱状部５２ａ，５２ｂおよびその先端から上記反射板４１に対し平行しかつ互いに反対方向に折曲形成された素子部５４ａ，５４ｂにより構成される。柱状部５１ａ，５１ｂ，５２ａ，５２ｂの高さは、ダイポールアンテナ４５が送受信しようとする第２の周波数ｆ2の波長をλ2とするとき、λ2／４に設定される。すなわち、柱状部５１ａ，５１ｂ，５２ａ，５２ｂは、ダイポールアンテナ素子のλ2／４ショート構造部として機能する。
【００３６】
ダイポールアンテナ４５は、例えば打ち抜き加工により十字型に形成された金属片を、折曲形成することにより製作される。すなわち、２対のダイポールアンテナ素子は一体的に作製される。また、上記２対の素子部５３ａ，５３ｂおよび５４ａ，５４ｂにおいて、＋側の素子部５３ａ，５４ａには給電部５６が設けられ、−側の素子部５３ｂ，５４ｂには孔部５７が設けられている。孔部５７は、第２の給電ケーブル４６を上記素子部５３ａ，５４ａの給電部５６に接続する際に、通し孔として用いられる。
【００３７】
このように構成された多周波共用アンテナ装置は、以下のように組み立てられる。すなわち、先ず反射板４１の裏面側に支持部材４７，４７を介して回路基板４２を固定する。続いて、反射板４１の表面側に、絶縁性支持部材（スペーサ）４８，４８を介してパッチアンテナ４３を固定し、このパッチアンテナ４３の給電部６３，６３と回路基板４２との間を第１の給電ケーブル４４を用いて接続する。
【００３８】
次に、十字型をなす金属片を折曲形成することにより製作したダイポールアンテナ４５を、共通基端部を先端として上記パッチアンテナ４３の孔部６２に挿入し、共通基端部を反射板４１にネジ止めする。その際、ダイポールアンテナ４５の２対の素子部５３ａ，５３ｂおよび５４ａ，５４ｂの向きを、反射板４１に対し４５°回転した方向に設定する。このように配置することで、±４５°偏波に対応したダイポールアンテナを構成することができる。
【００３９】
最後に、同軸ケーブルからなる第２の給電ケーブル４６を、反射板４１に設けたケーブル引き出し用の孔部（図示省略）を通して回路基板４２から反射板４１の表面側に引き出し、しかるのち当該第２の給電ケーブル４６をパッチアンテナ４３の孔部６２を通してパッチアンテナ４３の上方側に引き出す。このとき、第２の給電ケーブル４６はダイポールアンテナ４５の柱状部５１ｂ，５２ｂに沿わせて配線する。そして、当該第２の給電ケーブル４６の先端部を、−側の素子部５３ｂ，５４ｂに設けられた孔部５７を通してダイポールアンテナ４５の上方側に引き出した後、＋側の素子部５３ａ，５４ａに設けられた給電部５６に半田付けにより接続する。なお、第２の給電ケーブル４６の接地用被覆は、柱状部５１ｂ，５２ｂの上部において半田付けされる。
【００４０】
次に移相器２０ａ，２０ｂおよびその駆動機構は、以下のように設置されかつ動作する。すなわち、移相器２０ａ，２０ｂは、図１１に示したように同一構成の移相器を２段重ねしたものからなり、第３の筐体に支持部材を介して固定される。移相器２０ａ，２０ｂのタップ部材３は、絶縁シート９に固定された状態で、ラック歯車３２を介してモータ３１のウオーム歯車に接続され、これによりモータ３１の回転数に応じた量だけ回動角が変化する。
【００４１】
このような構成であるから、８台の移相器２０ａ，２０ｂを２台ずつ重ねて配置し、当該２台の移相器２０ａ，２０ｂごとに駆動機構を設けてタップ部材の回動角を可変制御するようにしたことで、８台の移相器２０ａ，２０ｂを平面に並べて配置する場合に比べ設置スペースを縮小することができ、さらに２台の移相器２０ａ，２０ｂに対し１台の駆動機構を設けたことで、駆動機構の設置台数とその設置スペースも減らすことができる。
【００４２】
［その他の実施形態］
なお、この発明は上記各実施形態に限定されるものではない。例えば、タップ部材の形状やその線状導電パターンの幅とスリットの幅、帯状導体パターンの本数やその形状、駆動機構の構成、アンテナ装置に設けられるアンテナの種類とその構成等については、この発明の要旨を逸脱しない範囲で種々変形して実施可能である。
【００４３】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【００４４】
１，２０ａ，２０ｂ…移相器、２…給電パターン、３…タップ部材、３ａ，３ｂ，１１ａ，１１ｂ，１３ａ，１３ｂ…線状導電パターン、３ｃ，１１ｃ，１３ｃ…リング状パターン、３ｄ，３ｅ，３ｆ，１１ｄ，１１ｅ，１１ｆ，１３ｄ，１３ｅ，１３ｆ…枝部、４ａ，４ｂ，４ｃ…帯状導体パターン、５…給電ポート、６ａ〜６ｆ…出力ポート、７…回動軸、８…誘電体基板、９…絶縁シート、２１…スペーサ、３１…モータ、３２…ラック歯車、４０ａ，４０ｂ…セクタアンテナ。
【図１】
2017224931.tif 000003
【図２】
2017224931.tif 000004
【図３】
2017224931.tif 000005
【図４】
2017224931.tif 000006
【図５】
2017224931.tif 000007
【図６】
2017224931.tif 000008
【図７】
2017224931.tif 000009
【図８】
2017224931.tif 000010
【図９】
2017224931.tif 000011
【図１０】
2017224931.tif 000012
【図１１】
2017224931.tif 000013
【図１２】
2017224931.tif 000014
【図１３】
2017224931.tif 000015
【図１４】
2017224931.tif 000016
【図１５】
2017224931.tif 000017